(57)【要約】【課題】  相互運用可能な音声・データワイヤレスネットワークを提供する。【解決手段】  ワイヤレスインフラストラクチャが、ローミング中の移動デバイスのために、呼の発信・配送などのセルラ／ＰＣＳサービスを提供する。呼配送の場合、在圏ネットワークが、ローミングユーザの位置を追跡し、ＶＬＲが制御ネットワーク経由でホームネットワークのＨＬＲにその位置情報を報告する。ホームネットワーク内のＡＣが、ユーザの登録および認証のために使用されうる。呼が、ＰＳＴＮからＭＳＣに中継されると、ホームＭＳＣがＨＬＲを参照して加入者の現在の所在、例えば現在のサービング／在圏ＭＳＣを判定した後、呼はリンクおよびＰＳＴＮ経由で、移動デバイスに現在サービスしている在圏ＭＳＣに送られる。【選択図】  図１
2004320726.tif 000002
【特許請求の範囲】
【請求項１】
ワイヤレスシステム（４００）であって、
音声ネットワーク（４４０）と、
データネットワーク（４５０）と、
前記音声ネットワーク（４４０）および前記データネットワーク（４５０）と通信するホームロケーションレジスタ（ＨＬＲ）（４１６）と
を備え、
前記ＨＬＲ（４１６）は、移動デバイス（４０２）に対して、音声セッションが前記音声ネットワーク（４４０）経由で該移動デバイス（４０２）へ送信されるのを待機しているというメッセージを前記データネットワーク（４５０）経由で発信するように動作可能である
ワイヤレスシステム。
【請求項２】
前記移動デバイス（４０２）は、
一度に１つのネットワーク接続が可能な携帯多機能デバイス
を含む
請求項１に記載のワイヤレスシステム。
【請求項３】
前記ＨＬＲ（４１６）は、
音声ネットワークおよびデータネットワークの両方のために加入者情報を登録することが可能なＨＬＲ／認証・認可・課金（ＡＡＡ）データベース
を含む
請求項１に記載のワイヤレスシステム。
【請求項４】
前記移動デバイス（４０２）は、前記音声ネットワーク（４４０）および前記データネットワーク（４５０）に同時に登録される
請求項３に記載のワイヤレスシステム。
【請求項５】
前記音声ネットワーク（４４０）は、
符号分割多元接続（ＣＤＭＡ）無線アクセスインタフェース
を含む
請求項４に記載のワイヤレスシステム。
【請求項６】
前記データネットワーク（４５０）は、
８０２．１１ワイヤレスローカルエリアネットワーク（ＷＬＡＮ）
を含む
請求項１に記載のワイヤレスシステム。
【請求項７】
前記データネットワーク（４５０）は、
Ｂｌｕｅｔｏｏｔｈ無線アクセスインタフェース
を含む
請求項１に記載のワイヤレスシステム。
【発明の詳細な説明】
【技術分野】
【０００１】
本発明は、相互運用可能な音声・データワイヤレスネットワークに関する。
【背景技術】
【０００２】
［序論］
公衆交換電話網（ＰＳＴＮ）とは、当業者に既知のような公衆電話網を指す。
ＰＳＴＮは交換機およびＴ１／Ｅ１トランク、電話局等から構成される。
ＰＳＴＮは回線交換技術を使用する。
この技術では、必要なリソースが電話呼の持続時間の間だけ割り当てられる（確保される）。
対照的に、ＩＰネットワーク（例えばインターネット）は、コンピュータ、サーバ、ルータ、および通信リンク等のノードから構成される。
ＩＰネットワークはパケット交換技術を使用する。
この技術では、データ（例えば音声、ウェブページ、電子メールメッセージ等）をＩＰパケットに分解する。
そして各パケットがＩＰアドレスによって識別される宛先へＩＰネットワークを通じて送信され、宛先で再構築される。
ＩＰ伝送は、ポイント間にリソースを事前に割り当てることなく達成される。
【発明の開示】
【発明が解決しようとする課題】
【０００３】
近年、音声およびデータの両方の機能に対応した移動携帯多機能デバイスが普及している。
一部の移動デバイスは複数のネットワークタイプの接続が可能である。
しかし、いったん所与のネットワークへの接続がなされると、所与の移動デバイスの無線は他のネットワーク通信に対して確認応答しない。
【発明を実施するための最良の形態】
【０００４】
本発明の実施形態は、ワイヤレス音声（例えばセルラ）配備とワイヤレスデータ配備との相互運用可能性を提供する。
当業者には理解されるように、それらの実施形態は、本明細書等に示されるシステムおよびデバイス上で運用可能なソフトウェア、アプリケーションモジュール、およびコンピュータ実行可能命令などによって実行されることが可能である。
しかし、本発明は、いかなる特定のオペレーティング環境または特定のプログラミング言語で書かれたソフトウェアにも限定されない。
本発明の実施形態を実施するのに好適なソフトウェア、アプリケーションモジュール、および／またはコンピュータ実行可能命令は、１つもしくは複数のデバイスまたは数個さらには多数の位置に存在してもよい。
【０００５】
明示がない限り、本明細書に記載される方法実施形態は、特定の順序または系列に制限されない。
さらに、記載される方法実施形態の一部は、同一時点に生起し、または実行されてもよい。
【０００６】
本開示を読むことにより当業者には理解されるように、ワイヤレスインフラストラクチャが、ローミング中の移動デバイスすなわちハンドセットのために呼発信および呼配送のようなセルラ／ＰＣＳサービスを提供することができる。
呼配送の場合、在圏ネットワークがローミングユーザの位置を追跡し、在圏ロケーションレジスタ（ＶＬＲ）が制御ネットワーク経由でホームネットワークのホームロケーションレジスタ（ＨＬＲ）にその位置情報を報告する。
制御ネットワークとしては、ＡＮＳＩ／ＩＳ−４１およびＧＳＭ  ＭＡＰタイプのネットワークがあり得る。
ホームネットワーク内の認証センタ（ＡＣ）が、ユーザの登録および認証、例えば、とりわけユーザが支払をしたかどうかをチェックするために使用可能である。
呼が、加入者へ配送されるべく、公衆交換電話網（ＰＳＴＮ）からホーム移動通信交換局（ＭＳＣ）に中継されると、ホームＭＳＣがＨＬＲを参照して加入者の現在の所在、例えば現在のサービング／在圏ＭＳＣを判定した後、呼はリンクおよびＰＳＴＮ経由で、移動デバイスに現在サービスしている在圏ＭＳＣに送られる。
【０００７】
図１は、移動通信交換局（ＭＳＣ）１０４と通信する移動デバイス１０２を例示する移動通信ネットワークのブロック図である。
移動通信ネットワーク、または制御ネットワークの一例として、ＩＳ−４１／ＣＤＭＡネットワークがある。
符号分割多元接続（ＣＤＭＡ）セルラ通信システムのシステム構成および動作は当業者に既知である。
よって、ＣＤＭＡシステム構成および動作に関する詳細な情報は提供しない。
しかし、この主題に関する技術情報は、いくつもの入手可能な文書を参照することによって得られる。
例えば、多元接続通信システムにおけるＣＤＭＡ技法の使用の説明については、「Spread Spectrum Multiple Access Communication System Using Satellite or Terrestrial Repeaters」と題する米国特許第４，９０１，３０７号を参照されたい。
さらに、ＣＤＭＡ通信システムで使用される信号波形の発生の説明については、「System and Method for Generating Signal Waveforms in a CDMA Cellular System」と題する米国特許第５，１０３，４５９号、および「Seamless Soft Handoff in a CDMA Cellular Communications System」と題する米国特許第５，８８３，８８８号を参照されたい。
【０００８】
典型的なワイヤレス通信システムの中心はＭＳＣである。
ＭＳＣは、システムによってサービスされる地理的エリア全体にわたって分散した複数の基地局に接続される。
ワイヤレス通信システムによってサービスされる地理的エリアは、「セル」と呼ばれるいくつかの空間的に異なるエリアに分割される。
各ＭＳＣは、とりわけ、移動デバイス間および移動デバイスと有線端末の間で呼を確立し維持することを担当する。
ここで有線端末は、ローカル網および／または長距離網経由でシステムに接続される。
ＭＳＣは、ワイヤレスおよびモビリティサポートに特化した電話交換機である。
ＭＳＣは、モビリティ管理、呼ハンドオフ、呼受付、呼制御、リソース割当て等の種々の機能を実行する。
こうして呼は、ＭＳＣから基地局へ、そしてワイヤレス通信経由で移動デバイスへ中継される。
【０００９】
図１において、移動デバイス１０２が新たなＭＳＣカバレジエリア、すなわちＭＳＣが担当する「セル」内に移動すなわちローミングすると、新たなＭＳＣがサービングＭＳＣとなる。
移動デバイスは、自己の格納している識別を基地局１０６経由で新たなサービングＭＳＣへ送信する。
図１に示すように、加入者識別情報が、エアインタフェース標準１０５（例えばＡＮＳＩ／ＩＳ−４１）準拠フォーマットで無線チャネル１０８を通じて送信され、基地局１０６のアンテナ１１０によって検出される。
【００１０】
次に基地局１０６は、例えば通信ライン１１２経由でサービングＭＳＣ１０４に加入者識別情報を送信する。
基地局１０６とＭＳＣ１０４の間の通信のための手順およびプロトコルもまた標準化されている。
このような通信に関連する業界標準を確認するためには、ＴＩＡ／ＥＩＡ／ＩＳ６３４−Ａ、「MSC-BS Interface for Public Wireless Communication Systems」を参照されたい。
【００１１】
新たに登録された移動デバイス１０２に移動通信サービスを提供するために、サービングＭＳＣ１０４は、信号中継局（ＳＴＰ）１１４のようなシグナリングリンク経由でホームロケーションレジスタ（ＨＬＲ）１１６へ、登録通知信号（ＩＳ−４１メッセージ）または位置更新信号（ＧＳＭメッセージ）のような移動通信応用部（ＭＡＰ）ベースの信号を送信する。
ＳＴＰは、交換局間、ならびに交換局と、加入者情報およびルーティング情報を保持するデータベースの間でメッセージをルーティングするＮｏ．７信号方式（ＳＳ７）電話網内のノードである。
ＨＬＲは、プロバイダのホームサービスエリア内の全加入者を含む、セルラシステム内のそのようなデータベースの１つである。
ＨＬＲ内のデータは、ＳＳ７経由で要求され、新しいエリア内のＶＬＲへ転送される。
【００１２】
図１の実施形態では、ＳＴＰ１１４は、ＭＡＰベースの信号をゲートウェイＭＳＣ１１８へルーティングする。
図１に示すように、ゲートウェイＭＳＣ１１８は、公衆交換電話網（ＰＳＴＮ）１２０へ接続するためのネットワーク交換機として働くことができる。
ＳＳ７は、呼を設定しサービスを提供するためにＰＳＴＮで使用されるプロトコルである。
ＳＳ７網は、呼の設定および破棄を行い、すべてのルーティング決定を扱い、ローカル番号ポータビリティ（ＬＮＰ）のようなすべての最新の電話サービスをサポートする。
ＬＮＰにより電話加入者は、国内の異なる地域に引っ越す時に、たとえそのローカルエリアコードが異なっていても、自分の電話番号を持って行くことができる。
サービス交換局（ＳＳＰ）という音声交換機が、信号中継局（ＳＴＰ）というパケット交換機を用いて、サービス制御局（ＳＣＰ）データベースに問合せを行う。
【００１３】
別個のシグナリングネットワークを用いてデータベースにアクセスすることは、顧客が契約したサービスのような静的情報および絶えず変化し続けるネットワークのトラフィック条件のような動的情報をシステムがより効率的に取得することを可能にする。
さらに、接続が両当事者間で実際に形成されるまで、音声回線はつながらない。
ＩＴＵによって標準化されているＳＳ７の国際バージョンと、各国によって決定されている国内バージョンがある。
例えば、ＡＮＳＩがＳＳ７の米国標準を管理し、Telcordia（Bellcore）がその加盟会社にＡＮＳＩの拡張を提供している。
【００１４】
ＭＡＰベースの信号は、移動デバイス１０２に現在サービスしているＭＳＣ１０４に関連するネットワークアドレスをＨＬＲ１１６に通知するとともに、ローミング中の移動デバイス１０２に移動通信サービスを提供するために必要な加入者情報を要求する。
ＨＬＲ１１６は、サービングＭＳＣ１０４を表すネットワークアドレスを格納するように自己のデータベースを更新するとともに、要求された加入者情報をサービングＭＳＣ１０４に関連するＶＬＲ１２２にコピーする。
ＨＬＲ１１６に格納されたサービングＭＳＣ１０４を表すネットワークアドレスは、後で移動デバイス１０２宛の入呼をサービングＭＳＣ１０４へリルーティングするために移動通信ネットワークによって利用される。
【００１５】
したがって、通信加入者が移動デバイス１０２の電話番号をダイヤルすると、ＨＬＲ１１６が、移動デバイス１０２の現在位置を判定するために移動通信ネットワークによって問合せを受ける。
ＨＬＲ１１６は、問合せ信号を受信したことに応答して、サービングＭＳＣ１０４を表すＨＬＲ１１６に格納されているネットワークアドレスを利用して、サービングＭＳＣ１０４に対してローミング番号を要求する。
その後、サービングＭＳＣ１０４によって提供されたローミング番号は、入来信号をサービングＭＳＣ１０４へルーティングするために通信ネットワークによって使用される。
そして、サービングＭＳＣ１０４は、移動デバイス１０２をページングし、それに応じて、利用可能であれば、移動デバイス１０２との音声接続を確立する。
【００１６】
移動デバイス１０２がサービングＭＳＣ１０４のカバレジエリアを出て別のＭＳＣ１２４のカバレジエリア内へローミングする場合、ＭＳＣ１０４は通信をＭＳＣ１２４および基地局１２６へハンドオフする。
２つのＭＳＣ間の互換性を保証するため、メッセージのフォーマットおよび伝送のための手順およびプロトコルは標準化されている。
このような通信に関連する業界標準を確認するためには、ＡＮＳＩ／ＩＳ−４１、「Cellular Radio telecommunications Intersystem Operations」を参照されたい。
【００１７】
図２は、ワイヤレスローカルエリアネットワーク（ＷＬＡＮ）のようなワイヤレスデータネットワークのアーキテクチャを例示している。
しかし、図２のアーキテクチャはＷＬＡＮに限定されない。
８０２．１１はＷＬＡＮのＩＥＥＥ標準のファミリである。
例えば、ＩＥＥＥ８０２．１１ａ標準は、５ＧＨｚ周波数レンジで伝送を行い、６〜５４Ｍｂｐｓを提供する。
ＩＥＥＥ８０２．１１ｂ標準は、２．４ＧＨｚ周波数レンジで伝送を行い、１〜１１Ｍｂｐｓを提供する。
図２には、移動デバイスとホームネットワークの間の８０２．１１無線／エアインタフェース２０１が例示されている。
図２で、移動デバイス２０２は、ローミングしながら、現在の位置で利用可能なＲＦバンドに接続しようと試みる。
例えば、移動デバイス２０２が８０２．１１環境内にローミングすると、移動デバイスは、コアネットワーク内の認証・認可・課金（ＡＡＡ）機能に対して認証および登録を行う。
【００１８】
図２は、ワイヤレス８０２．１１エアインタフェース２０１が移動デバイス２０２とアクセスポイント（ＡＰ）２０５の間に信号リンク２０７を提供することを例示している。
ＡＰ２０５は、図１に関して上記で説明した基地局と同様の役割を果たす。
ＡＰ２０５は、アクセスポイントコントローラ（ＡＰＣ）２０３にリンクされる。
ＡＰＣ２０３は、パケット交換信号リンク、例えばインターネットプロトコル（ＩＰ）リンクを通じてＡＰ２０５に接続される。
ＡＰＣ２０３は、移動デバイス２０２のコアすなわちホームネットワーク内のＡＡＡ機能を有するインターネットサービスプロバイダ（ＩＳＰ）２０９にパケット交換信号を接続するために、インターネット２２１へのパケット交換信号リンクすなわちＩＰリンクを提供する。
【００１９】
図３Ａは、図２に示すアーキテクチャにおける移動デバイスの認証に関与するメッセージフローを示すダイヤグラムを例示している。
図３Ａに示すように、移動デバイス３０２が認証要求をＡＰＣ３０３へ送信する。
ＡＰＣ３０３は、ＡＡＡ機能データベース３０９にアクセス可能なコアネットワークＩＳＰへアクセス要求を送信する。
チャレンジがＡＰＣ３０３に返される。
チャレンジは、ＡＰＣ３０３から移動デバイス３０２へ送信される。
チャレンジ結果が移動デバイスからＡＰＣ３０３へ返送され、ＡＰＣ３０３はそのチャレンジ結果を含むアクセス要求をＡＡＡ３０９へ送信する。
アクセス結果がＡＰＣ３０３に返され、認証応答が移動デバイス３０２へ送信される。
【００２０】
認証の成功により、移動デバイス３０２は、ＡＰＣ３０３を通じてワイヤレスデータネットワークにアクセスすることができるようになる。
ＡＡＡ３０９サービスからＡＰＣ３０３に返されるアクセス結果は、どのタイプのネットワークアクセスが移動デバイス３０２に許されるかを判定するためにＡＰＣ３０３によって必要とされるプロファイル情報を含む。
これは事実上、ＡＰＣ３０３によって提供されるファイアウォール機能となる。
その後、移動デバイス３０２は自己の位置をＡＡＡ３０９に登録する。
【００２１】
図３Ｂは、ＡＡＡ３０９に対する移動デバイス３０２の登録のために行われるメッセージングを示すダイヤグラムを例示している。
図３Ｂに示すように、移動デバイス３０２はクライアント登録をＡＡＡ３０９へ送信し、ＡＡＡ３０９は登録応答を移動デバイス３０２に返す。
【００２２】
クライアント登録メッセージは、移動デバイス３０２がワイヤレスデータネットワークに接続する時に移動デバイス３０２に許諾されたＩＰアドレスを含む。
このアドレスは、後の終端（接続）試行の際に使用するためにＡＡＡ３０９によって維持される。
登録応答は、移動デバイス３０２にとって有用なプロファイル情報を含む。
この情報にセキュリティを提供するため、移動デバイス３０２およびＡＡＡ３０９は、情報を交換する時にセキュアな通信プロトコルを利用することができる。
メッセージは、移動デバイス３０２とＡＡＡ３０９サーバの間で共有される秘密を用いてディジタル署名されてもよい。
登録は、移動デバイス３０２の位置を確定し、移動デバイス３０２に関連するプロファイル情報を提供する。
【００２３】
なお、移動デバイス３０２は、ワイヤレス音声ネットワーク、例えば図１に示すようなセルラネットワークにおける登録解除を伴うことを必要とせずに、ワイヤレスデータネットワーク（私設または公開のいずれでもよい）での登録が許可され得ることに留意されたい。
言い換えれば、８０２．１１登録は、ＣＤＭＡ音声ドメインでの登録解除を必ずしも引き起こさない。
移動デバイス３０２は両方のドメインで同時に登録される。
【００２４】
図４は、ワイヤレス音声ネットワークおよびワイヤレスデータネットワークの相互運用可能性、互換性、および／または共存を提供するアーキテクチャ実施形態を例示している。
一実施形態で、図４は、ＷＬＡＮ（例えば８０２．１１）データネットワークと音声ワイヤレスネットワーク（例えばＡＮＳＩまたはＧＳＭネットワーク）の相互運用可能性を提供するアーキテクチャを例示している。
しかし、本発明の範囲はそのようには限定されない。
すなわち、種々の実施形態で、図４のネットワークアーキテクチャは、小規模ローカルデータネットワークの配置と大規模ワイヤレス音声ネットワークとの共存を提供することができる。
【００２５】
図４に示すように、移動デバイス４０２は、ＭＳＣカバレジエリア内に移動すなわちローミングし、基地局４０６経由で新たなサービングＭＳＣ４０４へ自己の格納されている加入者識別を送信する。
加入者識別情報は、セルラ方式ネットワーク（ＧＳＭまたはＡＮＳＩ／ＩＳ−４１）エアインタフェース４０３に準拠したフォーマットで無線チャネル４０８を通じて送信され、基地局４０６のアンテナ４１０によって検出される。
そして基地局４０６は、通信ライン４１２経由でサービングＭＳＣ４０４へ加入者識別情報を送信する。
【００２６】
新たに登録された移動デバイス４０２に移動通信サービスを提供するために、サービングＭＳＣ４０４は、シグナリングリンク（例えばＳＴＰ４１４）経由でＨＬＲ４１６へ、登録通知または位置更新信号のような加入者識別情報を送信する。
ＨＬＲ４１６内のデータは、ＳＳ７経由で要求され、新しいエリア内のＶＬＲ４２２へ転送される。
ゲートウェイＭＳＣ４１８は、公衆交換電話網（ＰＳＴＮ）４２０をワイヤレス音声ネットワークへ接続するためのネットワーク交換機として働く。
図４のアーキテクチャネットワークに示されているように、種々の実施形態で、ＨＬＲ４１６としては、音声ネットワークＨＬＲ機能およびＡＡＡデータネットワーク機能を併せ持つＨＬＲ４１６がある。
すなわち、種々の実施形態で、ＨＬＲ４１６は、データネットワーク接続（例えば８０２．１１接続）および音声ネットワーク接続（例えばＡＮＳＩまたはＧＳＭネットワーク接続）の両方を登録することができる。
したがって、種々の実施形態で、回線交換（ＣＳ）およびパケット交換（ＰＳ）の両方のネットワークまたは環境のための加入者情報を登録するように運用可能なＨＬＲ／ＡＡＡ４１６が提供される。
【００２７】
いくつかの実施形態では、データネットワークＡＡＡおよび音声ネットワークＨＬＲが別個に提供され、本明細書で既に説明したのと同様に、呼がワイヤレス音声ネットワーク経由で移動デバイス４０２へ送信されるのを待機していることを示すメッセージを、ＨＬＲがワイヤレスデータネットワークを通じて移動デバイス４０２へ発信するように動作可能となるような手段（例えばソフトウェア、ファームウェア、ハードウェア、および／またはその組合せ）がネットワークアーキテクチャの一部として提供される。
【００２８】
参照を容易にするために、組み合わされたＨＬＲ／ＡＡＡ４１６の実施形態を説明している。
しかし、本開示を読むことから当業者には理解されるように、本発明はそのようには限定されない。
図４のアーキテクチャ実施形態の音声ネットワーク側では、ＭＡＰ信号が、移動デバイス４０２に現在サービスしているＭＳＣ４０４に関連するネットワークアドレスをＨＬＲ／ＡＡＡ４１６に通知することができるとともに、ローミング中の移動デバイス４０２に移動通信サービスを提供するために必要な加入者情報を要求することもできる。
ＨＬＲ／ＡＡＡ４１６は、サービングＭＳＣ４０４を表すネットワークアドレスを格納するように自己のデータベースを更新するとともに、要求された加入者情報をサービングＭＳＣ４０４に関連するＶＬＲ４２２にコピーする。
ＨＬＲ／ＡＡＡ４１６に格納されたサービングＭＳＣ４０４を表すネットワークアドレスは、後で移動デバイス４０２宛の入呼をサービングＭＳＣ４０４へルーティングするために移動通信ネットワークによって利用される。
【００２９】
通信加入者が移動デバイス４０２の電話番号をダイヤルすると、ＨＬＲ／ＡＡＡ４１６が、移動デバイス４０２の現在位置を判定するために移動通信音声ネットワークによって問合せを受ける。
ＨＬＲ／ＡＡＡ４１６は、問合せ信号を受信したことに応答して、サービングＭＳＣ４０４を表すＨＬＲ／ＡＡＡ４１６に格納されているネットワークアドレスを利用して、サービングＭＳＣ４０４に対してローミング番号を要求する。
その後、サービングＭＳＣ４０４によって提供されたローミング番号は、入来信号をサービングＭＳＣ４０４へルーティングするために通信すなわち音声ネットワークによって使用される。
そして、サービングＭＳＣ４０４は、移動デバイス４０２をページングし、それに応じて、利用可能であれば、移動デバイス４０２との音声接続を確立する。
図４のアーキテクチャ実施形態は追加のＭＳＣ４２４および基地局４２６をさらに例示しており、移動デバイス４０２がサービングＭＳＣ４０４のカバレジエリアを出て別のカバレジエリア内へローミングする場合、ＭＳＣ４０４は通信をＭＳＣ４２４および基地局４２６へハンドオフすることができることを表している。
【００３０】
本明細書で既に述べたように、図４のアーキテクチャ実施形態は、広域ネットワーク（ＷＡＮ）またはワイヤレス音声ネットワーク（例えば大規模型ＡＮＳＩまたはＧＳＭネットワーク環境）と、とりわけメトロポリタンエリアネットワーク（ＭＡＮ）、８０２．１１ＬＡＮ、および／またはBluetoothパーソナルエリアネットワーク（ＰＡＮ）のようなワイヤレスデータネットワークまたはワイヤレスローカルエリアネットワーク（ＷＬＡＮ）との相互運用可能性、互換性、および／または共存を提供する。
当業者には認識されるように、実施形態の範囲は本明細書に記載されるネットワークタイプには限定されない。
【００３１】
限定としてではなく例として、図４のアーキテクチャ実施形態は、移動デバイス４０２と、移動デバイスのコアすなわちホームネットワークとの間のインタフェースを提供する８０２．１１ＷＬＡＮデータネットワーク側を例示している。
前述のように、移動デバイス４０２は、ローミングしながら、現在の位置で利用可能なＲＦバンドに接続しようと試みる。
移動デバイス４０２がワイヤレスデータネットワーク環境（例えば８０２．１１環境）内にローミングすると、移動デバイスは、コアネットワーク内のＡＡＡ機能に対して認証および登録を行う。
図４の実施形態では、移動デバイスはＨＬＲ／ＡＡＡ４１６に対して認証を行う。
【００３２】
図４の実施形態では、ワイヤレス８０２．１１エアインタフェース４１０が移動デバイス４０２とアクセスポイント（ＡＰ）４０５の間の接続のための信号リンク４０７を提供する。
上記のように、ＡＰ４０５は、アクセスポイントコントローラ（ＡＰＣ）４０３にリンクすることができる。
ＡＰＣ４０３は、パケット交換信号リンク、例えばＩＰリンクを通じてＡＰ４０５に接続される。
ＡＰＣ４０３は、移動デバイス４０２のコアすなわちホームネットワークにパケット交換信号を接続するために、インターネット４２１へのパケット交換信号リンクすなわちＩＰリンクを提供する。
図４のアーキテクチャ実施形態に例示されているように、パケット交換信号は、ファイアウォール４１１を通じて、ワイヤレス音声ネットワークと共有されるＨＬＲ／ＡＡＡ４１６に接続することができる。
【００３３】
こうして、種々の実施形態で、図４のアーキテクチャによれば、回線交換（ＣＳ）およびパケット交換（ＰＳ）の両方のネットワークまたは環境に対して、移動デバイス４０２の加入者情報の互換性のある、または相互運用可能な登録が容易になる。
【００３４】
図４の実施形態で、ＨＬＲ／ＡＡＡ４１６は、ワイヤレスデータネットワークおよび大規模キャリア（例えばＡＮＳＩまたはＧＳＭ）ネットワーク環境の両方において、移動デバイス４０２の同時登録を可能にするために、ＨＬＲおよびＡＡＡの両方の機能を提供する。
しかし、上記で注意したように、本発明の実施形態では、データネットワークＡＡＡおよび音声ネットワークＨＬＲが別個に提供され、呼がワイヤレス音声ネットワーク経由で移動デバイス４０２へ送信されるのを待機していることを示すメッセージを、ＨＬＲがワイヤレスデータネットワークを通じて移動デバイス４０２へ発信するように運用可能となるような手段（例えばソフトウェア、ファームウェア、ハードウェア、および／またはその組合せ）がアーキテクチャ内に存在することが可能である。
【００３５】
種々の実施形態によれば、音声およびデータ機能対応の移動デバイスへのデータ呼は、音声呼を完了するために中断されてもよいアーキテクチャが提供される。
種々の実施形態によれば、データセッションは、音声呼の完了後に再開することができる。
種々の実施形態で、データ呼に接続されている（例えば、音声呼を受信するための適当な状態にない）移動デバイスは、音声呼を終端（接続）するためにデータ呼を中断する能力を有する。
種々の実施形態で、ＨＬＲまたはＨＬＲ／ＡＡＡは、移動デバイスに対して、移動デバイスのワイヤレスデータアクティビティ（例えば８０２．１１データアクティビティ）を中断し、移動デバイスがワイヤレス音声ネットワークに再入するように命令するメッセージを、インターネット経由で移動デバイスへ送信することができる。
【００３６】
図５は、移動デバイスがワイヤレスデータネットワークに登録／接続されている間に大規模セルラネットワークから移動デバイスへの音声呼の終端（接続）をサポートするための、メッセージのフローについての実施形態を示すダイヤグラムである。
ワイヤレスデータネットワークは、キャリアネットワークである必要はない。
本発明の実施形態は、種々のタイプの音声およびデータネットワークの組合せの共存に適用される。
【００３７】
図５に示すように、移動デバイス５０２に関連する電話番号への呼を終端する試みがなされる時、イベントのフローは、ＨＬＲ／ＡＡＡ５１６がゲートウェイＭＳＣ５１８からロケーション要求メッセージを受信することを含む。
これは、移動デバイス５０２に関連するサービングＭＳＣ５０４へのルーティングメッセージとなる。
図５の実施形態では、限定としてではなく例示の目的上、移動デバイスは８０２．１１ネットワークに接続しているものとして扱われている。
移動デバイス５０２が８０２．１１ＷＬＡＮを通じてのデータセッション中である場合、移動デバイス５０２は音声呼を受信するための適当な状態にない。
すなわち、移動デバイス５０２は複数のネットワークタイプの接続に対応しているが、移動デバイス５０２の無線は、両方のネットワークで同時に通信することができない。
【００３８】
したがって、図５の実施形態に示すように、ＨＬＲ／ＡＡＡ５１６は、移動デバイス５０２に対して、移動デバイス５０２の８０２．１１データアクティビティを中断して音声ネットワークに再入するように命じる８０２．１１中断メッセージを、インターネット経由で移動デバイス５０２へ送信する。
移動デバイス５０２は、中断結果をＨＬＲ／ＡＡＡ５１６へ返送する。
図５の実施形態に示すように、ＨＬＲ／ＡＡＡ５１６は、移動デバイス５０２からの応答を受信すると、ルーティング要求メッセージをサービングＭＳＣ５０４へ送信する。
サービングＭＳＣ５０４は、音声呼を終端するためのリソースを確保して、ルーティング応答をＨＬＲ／ＡＡＡ５１６へ送信する。
すなわち、サービングＭＳＣ５０４は、移動デバイス５０２のために一時ローカルディレクトリ番号（ＴＬＤＮ）を割り当て、ルーティング要求を返す。
【００３９】
図５の実施形態に示すように、ＨＬＲ／ＡＡＡ５１６はロケーション応答をゲートウェイＭＳＣ５１８に返す。
ゲートウェイＭＳＣ５１８はアドレスメッセージ（ＩＡＭ（initial address message））をサービングＭＳＣ５０４に返す。
すると音声呼すなわち音声セッションがサービングＭＳＣ５０４に接続され、移動デバイス５０２は音声ネットワークで音声接続信号によってページングされる。
加入者が電話機をオフフックにすると、音声終端（例えば接続）が行われる。
【００４０】
種々の実施形態で、ゲートウェイＭＳＣ５１８によるロケーション要求のタイムアウトを避けるために、中断要求はルーティング要求と並列に送出される。
種々の実施形態で、移動デバイス５０２は、ワイヤレスデータ（例えば８０２．１１）アクティビティへの復帰を決定することを可能にするためのタイムアウト機能を含む。
また、種々の実施形態で、オーバーフロー終端試行のためのキューを提供することによって、複数のほぼ同時の終端試行が管理される。
【００４１】
以上、本明細書では特定実施形態について例示し説明したが、当業者には理解されるように、同じ技法を実現するように計算されたいかなる構成も、示されている特定実施形態の代わりに用いることができる。
本開示は、本発明の種々の実施形態のありとあらゆる適応または変形を包含することを意図している。
上記の説明は実例としてなされたものであって限定としてではないことは理解されたい。
上記の実施形態、および本明細書に具体的に記載されていない他の実施形態の組合せは、上記の説明を検討すれば当業者には明らかであろう。
本発明の種々の実施形態の範囲は、上記の構成および方法が使用されるいかなる他の応用も含む。
したがって、本発明の種々の実施形態の範囲は、添付の特許請求項と、当該特許請求項の権利範囲にある均等物の全範囲とを参照して定められるべきである。
【００４２】
強調しておくが、要約書は、読者が技術的開示の本質を素早く確認することを可能にする要約書を要求している３７Ｃ．Ｆ．Ｒ．§１．７２（ｂ）に従って提供されている。
要約書は、特許請求の範囲を限定するために使用されないという了解の下で提出されている。
【００４３】
以上の詳細な説明では、開示を簡素化する目的で、種々の特徴が単一の実施形態にまとめられている。
この開示方法は、本発明の実施形態が各請求項に明確に記載されているより多くの特徴を要求するという意図を反映したものと解釈されてはならない。
むしろ、添付の特許請求項に表れているように、本発明の対象は、単一の開示された実施形態のすべてより少ない特徴に存在する。
したがって、添付の特許請求項はここに詳細な説明に具体化され、各請求項がそれ自身の別個の実施形態に基づいている。
【図面の簡単な説明】
【００４４】
【図１】移動通信交換局と通信する移動デバイスを例示する移動通信ネットワークのブロック図である。
【図２】ワイヤレスデータネットワークのアーキテクチャを例示する図である。
【図３Ａ】図２に示すアーキテクチャにおける移動デバイスの認証に関与するメッセージフローを示すダイヤグラムである。
【図３Ｂ】認証・認可・課金デバイスに対する移動デバイスの登録のために行われるメッセージングを示すダイヤグラムである。
【図４】ワイヤレス音声ネットワークおよびワイヤレスデータネットワークの相互運用可能性を提供するアーキテクチャ実施形態を例示する図である。
【図５】音声・データワイヤレスネットワークの相互運用可能性をサポートするためのメッセージのフローを示すダイヤグラム実施形態を例示する図である。
【符号の説明】
【００４５】
１０２・・・移動デバイス、
１０４，１２４・・・移動通信交換局（ＭＳＣ）、
１０５・・・エアインタフェース標準、
１０６・・・基地局、
１０８・・・無線チャネル、
１１０・・・アンテナ、
１１２・・・通信ライン、
１１４・・・信号中継局（ＳＴＰ）、
１１６・・・ホームロケーションレジスタ（ＨＬＲ）、
１１８・・・ゲートウェイＭＳＣ、
１２０・・・公衆交換電話網（ＰＳＴＮ）、
２０１・・・８０２．１１無線／エアインタフェース、
２０２・・・移動デバイス、
２０３・・・アクセスポイントコントローラ（ＡＰＣ）、
２０５・・・アクセスポイント（ＡＰ）、
２０７・・・信号リンク、
２０９・・・インターネットサービスプロバイダ（ＩＳＰ）、
３０２・・・移動デバイス、
３０３・・・ＡＰＣ、
３０９・・・ＡＡＡ機能データベース、
４０２・・・移動デバイス、
４０３・・・アクセスポイントコントローラ（ＡＰＣ）、
４０４・・・サービングＭＳＣ、
４０５・・・アクセスポイント（ＡＰ）、
４０６・・・基地局、
４１１・・・ファイアウォール、
４１２・・・通信ライン、
４１６・・・ＨＬＲ、
４１８・・・ゲートウェイＭＳＣ、
４２０・・・公衆交換電話網（ＰＳＴＮ）、
４２１・・・インターネット、
４２２・・・ＶＬＲ、
４２４・・・ＭＳＣ、
４２６・・・基地局、
５０２・・・移動デバイス、
５０４・・・サービングＭＳＣ、
５１６・・・ＨＬＲ／ＡＡＡ、
５１８・・・ゲートウェイＭＳＣ、
【図１】
2004320726.tif 000003
【図２】
2004320726.tif 000004
【図３Ａ】
2004320726.tif 000005
【図３Ｂ】
2004320726.tif 000006
【図４】
2004320726.tif 000007
【図５】
2004320726.tif 000008